(57)【要約】本発明は、内容物の詰め替えが可能な紙管容器に関し、本発明による内容物の詰め替えが可能な紙管容器は、内部に内容物が収容されるように空間が形成される紙管胴体と；前記紙管胴体の内側上部に結合されて、内容物の充填及び排出が可能に中空が形成される固定部と；前記固定部の下部に結合されて、内容物を収容し、内容物の消尽時に交替が可能に前記固定部に着脱されるパウチと；前記固定部の上端に結合され、ポンプ作用を通じて前記パウチに収容された内容物を外部に排出させ、前記紙管胴体から着脱されるポンプ部材と；前記紙管胴体の上端に結合される紙管キャップと；を含むことを特徴とする。【選択図】図１
2013500907.tif 000002
【特許請求の範囲】
【請求項１】
内部に内容物が収容されるように空間が形成される紙管胴体と；
前記紙管胴体の内側上部に結合され、上部外周面に沿って突出部が形成される固定部と；
前記固定部の下部に結合されて、内容物を収容し、内容物の消尽時に交替が可能に前記固定部に着脱されるパウチと；
前記固定部の上端に結合されて、ポンプ作用を通じて前記パウチに収容された内容物を外部に排出させ、前記紙管胴体から着脱されるポンプ部材と；
前記紙管胴体の上端に結合される紙管キャップと；を含むことを特徴とする内容物の詰め替えが可能な紙管容器。
【請求項２】
前記固定部の下部外周面にはネジ山が形成され、前記パウチの上部内側にはネジ山が形成された結合部が具備され、相互ネジ結合を通じて着脱されることを特徴とする請求項１に記載の内容物の詰め替えが可能な紙管容器。
【請求項３】
前記紙管胴体の内側には、紙管胴体より長さの短い紙管が結合されて係止部を形成することを特徴とする請求項１に記載の内容物の詰め替えが可能な紙管容器。
【請求項４】
前記固定部は、前記突出部の下部に内側方向に傾斜面が形成され、前記紙管胴体に締まりばめを通じて結合されて、前記係止部に安着されて前記紙管胴体に固定されることを特徴とする請求項３に記載の内容物の詰め替えが可能な紙管容器。
【発明の詳細な説明】
【技術分野】
【０００１】
本発明は、内容物の詰め替えが可能な紙管容器に関し、さらに詳しくは、胴体を紙管で形成し、紙管胴体からポンプ部材を着脱可能にその構造を設計して、内容物を全て消尽した場合、前記ポンプ部材を紙管胴体から離脱してその下部に結合されるパウチを交替することで、簡単に内容物の詰め替えが可能な紙管容器に関する。
【背景技術】
【０００２】
一般的にシャンプー、リンス、化粧品などは、各内容物が容器に収容された状態で使用者に販売されており、１回用で使用可能にパウチ状で安価な価格で販売されている。
【０００３】
使用者は、製品の購買時に費用を節約するために、パウチ状の製品をシャンプー、リンス、化粧品などの各容器に絞り出して充填することで、内容物を詰め替えて使用しているが、パウチをカットした後、それぞれを絞り出して充填しなければならないので、使用者の不便をもたらしている実情である。
【０００４】
このような問題点を解消するために、大韓民国登録実用新案第２０−０２８２７５６号『詰め替え用化粧品容器』が開示されている。
【０００５】
前記登録実用新案は、内容物が充填される容器胴体と、前記容器胴体にネジ式結合される蓋とからなる通常の化粧品容器において、管状の上部には、内容器２０の開口部２２が挟み突出す孔１１が形成され、外側から内側に段差が形成された下端部の外周面には、仕上げキャップ３０がネジ結合されるようにネジ山１２が形成され、ネジ山が形成された下部には、内容器２０の下部外周面の両側に形成された突部２３が嵌められる溝１３が切欠形成される外容器１０と；前記外容器１０の内径と相応する直径を有し、かつ、内部の長さと相応する長さを有する内容物収納部胴体２１を有し、内容物収納胴体２１の外周面の下部に外容器１０の下部に形成された溝１３に嵌められる突部２３が両側に形成され、上部には、外容器１０の孔１１に挟み突出し、かつ、キャップ４０がネジ結合される開口部２２が形成されている内容器２０と；前記内容器２０が詰め替えられた外容器１０の下部に形成されたネジ山１２にネジ締結されて外容器１０に詰め替えられた内容器２０を固定させる仕上げキャップ３０とで構成されることが特徴である。
【０００６】
前記登録実用新案は、内容物が収容される内容器２０を交替して使用可能にその構造を設計したもので、外容器１０と内容器２０との固定のために、それぞれの容器に溝１３及び突部２３を形成し、外容器１０の下端に形成されたネジ山１２に仕上げキャップ３０を結合するなど、その構造が複雑であり、製造費用及び時間が多く所要されるという問題点があった。
【０００７】
また、前記登録実用新案は、内容器２０からキャップ４０を離脱する時に内容物に空気が流入される構造であり、一般的なローション、スキンのような製品には適用可能であるが、内容物の変質を防止するために空気の流入を遮断しなければならない機能性化粧品には適用することが不可能な問題点があった。
【発明の概要】
【発明が解決しようとする課題】
【０００８】
本発明は、上述した問題点を解決するために案出されたもので、本発明の目的は、胴体を紙管で形成し、紙管胴体からポンプ部材を着脱可能にその構造を設計して、内容物を全て消尽した場合、前記ポンプ部材を紙管胴体から離脱してその下部に結合されるパウチを交替することで、簡単に内容物の詰め替えが可能な紙管容器を提供することである。
【０００９】
また、パウチの上部にネジ山が形成された結合部を具備して、ネジ結合及び解体を通じたパウチの簡単な交替が可能であり、パウチの上部にポンプ部材が結合されて紙管キャップを離脱しても空気の流入を遮断することができる内容物の詰め替えが可能な紙管容器を提供することである。
【課題を解決するための手段】
【００１０】
前記のような問題点を解決するために、本発明による内容物の詰め替えが可能な紙管容器は、内部に内容物が収容されるように空間が形成される紙管胴体と；前記紙管胴体の内側上部に結合され、内容物の充填及び排出が可能に中空が形成される固定部と；前記固定部の下部に結合されて、内容物を収容し、内容物の消尽時に交替可能に前記固定部に着脱されるパウチと；前記固定部の上端に結合され、ポンプ作用を通じて前記パウチに収容された内容物を外部に排出させ、前記紙管胴体から着脱されるポンプ部材と；前記紙管胴体の上端に結合される紙管キャップと；を含むことを特徴とする。
【００１１】
また、前記固定部の下部外周面にはネジ山が形成され、前記パウチの上部内側にはネジ山が形成された結合部が具備されて、相互ネジ結合を通じて着脱されることを特徴とする。
【００１２】
また、前記紙管胴体の内側には、紙管胴体より長さの短い紙管が結合されて係止部を形成することを特徴とする。
【００１３】
また、前記固定部は、前記係止部と接する部分に外周面に沿って突出部が形成され、前記紙管胴体に締まりばめを通じて結合されて、前記係止部に安着されて前記紙管胴体に固定されることを特徴とする。
【発明の効果】
【００１４】
以上で詳述したように、本発明によると、胴体を紙管で形成し、紙管胴体からポンプ部材を着脱可能にその構造を設計して、内容物を全て消尽した場合、前記ポンプ部材を紙管胴体から離脱してその下部に結合されるパウチを交替することで、簡単に内容物の詰め替えが可能な長所がある。
【００１５】
また、パウチの上部にネジ山が形成された結合部を具備して、ネジ結合及び解体を通じたパウチの簡単な交替が可能であり、パウチの上部にポンプ部材が結合されて紙管キャップを離脱しても空気の流入を遮断することができる長所がある。
【図面の簡単な説明】
【００１６】
【図１】本発明の好ましい実施例による内容物の詰め替えが可能な紙管容器の構成を示した分解斜視図である。
【図２】本発明の好ましい実施例による内容物の詰め替えが可能な紙管容器の構成を示した断面図である。
【図３】本発明の好ましい実施例による内容物の詰め替えが可能な紙管容器の構成を示した分解断面図である。
【図４】本発明の好ましい実施例による内容物の詰め替えが可能な紙管容器の使用状態を示した説明図である。
【発明を実施するための形態】
【００１７】
以下、図面を参照して本発明を詳しく説明する。各図面に提示した同一の参照符号は、同一の部材を示す。
【００１８】
図１は、本発明の好ましい実施例による内容物の詰め替えが可能な紙管容器の構成を示した分解斜視図であり、図２は、本発明の好ましい実施例による内容物の詰め替えが可能な紙管容器の構成を示した断面図である。
【００１９】
図３は、本発明の好ましい実施例による内容物の詰め替えが可能な紙管容器の構成を示した分解断面図であり、図４は、本発明の好ましい実施例による内容物の詰め替えが可能な紙管容器のパウチ交替過程を示した説明図である。
【００２０】
図１乃至４を参照すると、本発明の好ましい実施例による内容物の詰め替えが可能な紙管容器は、紙管胴体１００、固定部２００、パウチ３００、ポンプ部材４００、紙管キャップ５００が含まれる。
【００２１】
前記紙管胴体１００は、内部に内容物が収容されるように空間が形成されるもので、側面を形成する紙管部１１０と、前記紙管部１１０の下端部に加工されて下部を閉鎖させる支持部１２０とで構成される。
【００２２】
本発明において、前記紙管胴体１００は、紙材質で構成されることが特徴であり、これにより、使用者の加圧によって後述する固定部２００が締まりばめされて、化粧品容器の製造時に容器の各部品間の結合のための結合手段を製造するための作業が省略でき、製造時間及び費用を減少させることができる。
【００２３】
また、前記紙管胴体１００は、紙材質で構成されることで、その外周面に文字、図形、記号を表示したり、多様な色相の表現のための後加工処理が容易になり、不良率を減少させることができる。
【００２４】
また、前記紙管胴体１００は、紙材質で構成されることで、廃棄する時にごみの分別によりリサイクルが可能になり、環境破壊を減らすことができる。
【００２５】
一方、前記紙管胴体１００の内側には、紙管胴体１００より長さの短い紙管６００が結合されることが特徴であり、前記紙管６００は、前記紙管胴体１００の内周面を囲み長さ方向に沿って結合され、前記紙管胴体１００より長さが短く形成されて係止部１３０を形成する。前記紙管６００は、前記紙管胴体１００の内周面に結合されて係止部１３０を形成することで、後術する固定部２００に形成される突出部２２０の安着を可能にし、これにより、固定部２００の移動範囲を限定することで、紙管胴体１００に固定部２００を固定させる。
【００２６】
前記固定部２００は、前記紙管胴体１００の内側上部に結合され、内容物の充填及び排出が可能に中空が形成される。
【００２７】
前記固定部２００は、前記係止部１３０と接する部分に外周面を沿って突出部２２０が形成され、前記突出部２２０の下部に内側方向に傾斜面が形成され、前記紙管胴体１００の上部で下方向に締まりばめを通じて結合されて、前記係止部１３０の上端に安着されて前記紙管胴体１００に固定が行われる。前記固定部２００は、前記紙管胴体１００に締まりばめを通じた固定が可能に、前記紙管胴体１００の直径よりそのサイズが若干大きく形成されることが好ましい。
【００２８】
一方、前記固定部２００の下部外周面にはネジ山２１０が形成されることが特徴であり、前記固定部２００の下部には、後述するパウチ３００が結合され、ネジ山２１０が形成されることで、パウチ３００の上部に結合される結合部３１０と結合及び解体を通じてパウチ３００の交替を容易にする。
【００２９】
前記パウチ３００は、前記紙管胴体１００内で前記固定部２００の下部に結合され、内容物が収容されるもので、本発明において、前記パウチ３００は、内容物の消尽時に交替が可能に前記固定部２００に着脱されることが特徴である。
【００３０】
前記パウチ３００は、前記固定部２００との結合が可能に上部に結合部３１０が具備され、前記結合部３１０の内側には、前記固定部２００の外周面に形成されたネジ山２１０とネジ結合が可能に内周面に沿ってネジ山３１１が形成されることで、固定部２００と結合部３１０とが相互ネジ結合を通じて着脱が行われる。
【００３１】
前記ポンプ部材４００は、前記固定部２００の上端に結合され、ポンプ作用を通じて前記パウチ３００に収容された内容物を外部に排出させるもので、前記固定部２００の上端と接する部分に固定部２００との結合が可能に結合溝４１０が形成されることが好ましい。
【００３２】
本発明において、前記ポンプ部材４００は、前記紙管胴体１００から着脱されることが特徴であり、一般的に、化粧品容器のポンプ部材は、ポンプ部材を固定させる支持キャップのような固定部材を通じて堅固に固定が行われるが、本発明のポンプ部材４００は、使用者の必要に応じてパウチ３００の交替を可能にするために、使用者の加圧によって紙管胴体１００から容易に離脱されるように構成されることが特徴である。
【００３３】
前記ポンプ部材４００は、前記固定部２００と結合されることで、使用者がポンプ部材４００を紙管胴体１００から離脱時に前記固定部２００と共に離脱されるが、この時、前記固定部２００の下部に結合されたパウチ３００と共に離脱されることで、パウチ３００の交替が可能になる。
【００３４】
また、パウチ３００の交替が完了すると、使用者がポンプ部材４００を把持した状態で前記紙管胴体１００に結合されるが、この時、前記固定部２００が前記紙管胴体１００に徐々に結合されて、紙管胴体１００と紙管６００とが形成する係止部１３０に安着されて紙管胴体１００との固定が行われる。
【００３５】
前記ポンプ部材４００のポンプ作用のための各構成は、本発明が属する技術分野で公知技術であるので、詳しい説明は省略する。
【００３６】
前記紙管キャップ５００は、前記紙管胴体１００の上端に結合され、前記ポンプ部材４００を囲み結合されて、外部の衝撃からポンプ部材４００を保護することで、ポンプ部材４００の誤作動を防止する。
【００３７】
以下では、図１乃至４を参照して本発明の好ましい実施例による内容物の詰め替えが可能な紙管容器のパウチ交替過程を説明する。
【００３８】
図１乃至４によれば、内容物を全て消尽した場合、使用者は、ポンプ部材４００を把持した状態で上側に持ち上げて紙管胴体１００からポンプ部材４００を離脱する。この時、前記ポンプ部材４００の結合溝４１０に結合された固定部２００と共に離脱され、前記固定部２００のネジ山２１０に結合されたパウチ３００も共に離脱される。
【００３９】
前記のように、ポンプ部材４００の上方向移動を通じて固定部２００、パウチ３００が紙管胴体１００から離脱されると、使用者は、パウチ３００の上部に結合された結合部３１０を一側に回転して前記固定部２００からパウチ３００を離脱し、内容物が充填された新しいパウチを前記固定部２００に結合してパウチ３００を交替する。
【００４０】
次いで、パウチ３００の交替が完了すると、ポンプ部材４００を紙管胴体１００に結合するが、ポンプ部材４００を紙管胴体１００の上部で下方向に加圧時に、固定部２００が前記紙管胴体１００に徐々に結合されて、紙管胴体１００と紙管６００とが形成する係止部１３０に安着されて紙管胴体１００に締まりばめを通じた固定が行われる。この時、前記固定部２００は、前記紙管胴体１００に締まりばめを通じた固定が可能に前記紙管胴体１００の直径より若干大きく形成されることが好ましい。また、前記紙管胴体１００は紙材質で構成されるため、固定部２００との締まりばめを通じて結合の時に、紙材質による変形が発生しないように所定の厚さで形成されることが好ましい。
【００４１】
図面と明細書で最適実施例が開示された。ここで特定の用語が使用されたが、これは、単に本発明を説明するための目的で使用されただけで、意味の限定や特許請求の範囲に記載された本発明の範囲を制限するために使用されたものではない。従って、本技術分野の通常の知識を持った者であれば、これから多様な変形及び均等な他の実施例が可能であるという点を理解できるであろう。従って、本発明の真の技術的保護範囲は、添付の特許請求の範囲の技術的思想によって定められるべきである。
【図１】
2013500907.tif 000003
【図２】
2013500907.tif 000004
【図３】
2013500907.tif 000005
【図４（ａ）】
2013500907.tif 000006
【図４（ｂ）】
2013500907.tif 000007
【国際調査報告】
2013500907.tif 000008
2013500907.tif 000009
2013500907.tif 000010
2013500907.tif 000011